(57)【特許請求の範囲】
【請求項１】
身頃に設けられた開口部を利用者の頭部から被せて着用するコートに、前記利用者の頭部を覆うためのフードを設けるとともに、これらのコート及びフードを、防水性及び柔軟性を有する薄膜シートで一体に形成し、
前記フードの後頭部付近から額付近にかけて蛇腹式のストローを設け、これによって前記フードにつばを形成したことを特徴とする雨具。
【請求項２】
身頃に設けられた開口部を利用者の頭部から被せて着用するコート，
このコートに一体に形成されており、前記利用者の頭部を覆うためのフード，
前記利用者の下半身を覆うためのズボンないしスカート，
を備えるとともに、
前記コート，フード，及びズボンないしスカートを、防水性及び柔軟性を有する薄膜シートで形成し、
前記フードの後頭部付近から額付近にかけて蛇腹式のストローを設け、これによって前記フードにつばを形成したことを特徴とする雨具。
【請求項３】
前記雨具の着用状態の調節もしくは着用者に対する固定を行うための調節・固定手段を備えたことを特徴とする請求項１又は２記載の雨具。
【請求項４】
前記調節・固定手段を、粘着性のテープとしたことを特徴とする請求項３記載の雨具。
【請求項５】
前記利用者の靴を覆うための略ソックス形状の靴用雨具，該靴用雨具を前記利用者の靴に固定するための固定手段，を備えるとともに、前記靴用雨具を、前記薄膜シートで形成したことを特徴とする請求項１〜４のいずれかに記載の雨具。
【請求項６】
前記固定手段が、伸縮自在なゴム材によって形成されていることを特徴とする請求項５記載の雨具。
【発明の詳細な説明】
【０００１】
【発明の属する技術分野】
本発明は雨具に関し、特に、雨具の着脱性及び携帯性の改良に関するものである。
【０００２】
【背景技術】
従来、雨具としては、合成樹脂シートなどの防水性の素材からなる雨合羽やレインコートが広く利用されており、一枚で利用するコート型のものや、上着とズボンを併用するタイプのものなどがある。これらは、利用者のほぼ全身を覆うように形成されており、強い風雨時にも利用者が濡れるのを防止する。そして、利用しないときには、専用の収納袋などに収納して持ち運ぶことができるように構成されている。
【０００３】
【発明が解決しようとする課題】
しかしながら、上述した雨具は、ボタンやファスナーなどの各種の留め具，あるいは、袖口やウエスト部分などの調節のためのゴムが利用されているため、収納時にも嵩張ってしまう。また、脱着が面倒であったり、使用後の乾燥や収納の手間などがかかったりするため、常に携帯用の雨具として持ち運ばれるほどには普及していない。
【０００４】
更に、上述した雨具は、利用者のほぼ全身を覆うことで雨に濡れるのを防ぐことができるが、雨具の裾から露出した部分や靴などについては、風で吹き込んだ雨や地面で跳ね返った雨によって濡れたりすることもあり、雨足によっては、靴に水がしみこんでしまうのを防止することができない。このような事態は、長靴を併用することで避けることができるが、外出中、突然の雨に見舞われたときに、長靴を持ち合わせていることは滅多になく、実際には足元が濡れてしまう事態がしばしば生じる。
【０００５】
この発明は、以上の点に着目したもので、簡単に着用することができるとともに、携帯性にも優れ、全身の濡れを防止することができる雨具を提供することを、その目的とするものである。
【０００６】
【課題を解決するための手段】
前記目的を達成するため、本発明の雨具は、身頃に設けられた開口部を利用者の頭部から被せて着用するコートに、前記利用者の頭部を覆うためのフードを設けるとともに、これらのコート及びフードを、防水性及び柔軟性を有する薄膜シートで一体に形成し、前記フードの後頭部付近から額付近にかけて蛇腹式のストローを設け、これによって前記フードにつばを形成したことを特徴とする。
【０００７】
他の発明は、身頃に設けられた開口部を利用者の頭部から被せて着用するコート，このコートに一体に形成されており、前記利用者の頭部を覆うためのフード，前記利用者の下半身を覆うためのズボンないしスカート，を備えるとともに、前記コート，フード，及びズボンないしスカートを、防水性及び柔軟性を有する薄膜シートで形成し、前記フードの後頭部付近から額付近にかけて蛇腹式のストローを設け、これによって前記フードにつばを形成したことを特徴とする。
【０００８】
本発明の主要な形態の一つは、前記雨具の着用状態の調節もしくは着用者に対する固定を行うための調節・固定手段を備えたことを特徴とする。他の形態は、前記調節・固定手段を粘着性のテープとしたことを特徴とする。更に他の形態は、前記利用者の靴を覆うための略ソックス形状の靴用雨具，該靴用雨具を前記利用者の靴に固定するための固定手段，を備えるとともに、前記靴用雨具を、前記薄膜シートで形成したことを特徴とする。更に他の形態は、前記固定手段が、伸縮自在なゴム材によって形成されていることを特徴とする。本発明の前記及び他の目的，特徴，利点は、以下の詳細な説明及び添付図面から明瞭になろう。
【０００９】
【発明の実施の形態】
＜実施形態１＞……以下、本発明の実施の形態について詳細に説明する。最初に、図１及び図２を参照して、本発明の実施形態１について説明する。図１には、本実施形態の全体の様子が示されており、図２には、本実施形態の各部の詳細な様子が示されている。
【００１０】
図１に示すように、本実施形態の雨具１０は、利用者１２のほぼ全身を覆うコート型の上着２０と、利用者１２の靴１６全体を覆うオーバーシュー４０によって構成されている。まず、上着２０について説明すると、上着２０は、利用者１２の胴体部分を覆う身頃２２，袖２４，頭部を覆うフード２６によって構成されている。これら各部は、防水性かつ柔軟性のある薄膜シートによって一体に形成されており、利用者１２が、身頃２２の正面側に設けられた開口部３２を頭部から被ることによって、簡単に着脱することが可能となっている。薄膜シートとしては、例えば、使い捨ての雨具を目的とする場合には、ポリエチレンなどが好適であるが、これに限定されるものではなく、用途に応じて各種の素材のものを利用することができる。
【００１１】
前記身頃２２の胴部は、肩掛け鞄などの荷物１４を身に付けた状態でも着用することができるように、胴回りに余裕を持たせるように設定されている。また、フード２６には、図２（Ａ）の側面図に示すように、身頃２２の後部の襟元ないしフード２６の後頭部付近から利用者の額付近の位置にかけて、一本の変形自在な芯材２８が設けられている。該芯材２８のカーブを調整することによって、つば３０を形成し、利用者１２の額ないし顔面にフード２６が密着して貼り付くのを防止している。すなわち、利用者１２の正面から風が吹付けた場合でも、フード２６が利用者の顔面を覆うことがなく、安全な視界を確保することができる。前記芯材２８としては、例えば、蛇腹式のストローのようなものが利用される。
【００１２】
図２（Ｂ）には、利用者１２が、上着２０を開口部３２から被って着用したあとに、体型に合わせて開口部３２の開き具合を調節するための粘着テープ３４の一例が示されている。粘着テープ３４は、裏面にのりなどが設けられた粘着性のテープであり、同図に示すように、台紙３６上に予め所定形状に多数形成されている。利用者１２は、台紙３６から必要な分だけ粘着テープ３４を剥がし、開口部３２の開き具合をみながら粘着テープ３４で留めて調節し、雨具１０が脱げないように固定する。
【００１３】
次に、オーバーシュー４０について説明する。オーバーシュー４０は、利用者１２の靴１６全体を覆うためのものであり、略ソックス形状に形成されている。このようなオーバーシュー４０の素材としては、上述した上着２０と同様に、防水性及び柔軟性を有した薄膜のシートが利用され、例えば、ポリエチレンなどが好適であるが、それ以外の素材のものを利用してもよい。また、前記上着２０と同一素材としてもよいし、異なる素材を用いるようにしてもよい。
【００１４】
図２（Ｃ）には、このようなオーバーシュー４０を靴１６に着用した状態が拡大して示されている。同図に示すように、オーバーシュー４０は、固定具４９によって、利用者１２の靴１６に装着される。固定具４９としては、靴１６の形状・大きさに合わせて装着することができるように、伸縮性のあるゴム材などが利用されるが、携帯性などの観点から、例えば、輪ゴムが好適である。図示の例は、２つの輪ゴム４８を締結して、２つの環状部を有する固定具４９を構成した例である。
【００１５】
このような固定具４９によってオーバーシュー４０を靴１６に固定するときには、締結部４７を甲４２に位置するようにして、一方の環状部を土踏まず４４に引掛けて、他方の環状部を踵４６に引掛けるようにする。このように伸縮自在の固定具４９を用いることにより、靴１６の形状・大きさにかかわらず、オーバーシュー４０を確実に装着することができる。なお、ここでは土踏まず４４及び踵４６で固定しているため、オーバーシュー４０の底が破けた場合でも、靴１６の表面を覆っている部分がずれることはなく、靴１６が濡れるのを防止することが可能である。また、必要に応じて、オーバーシュー４０の上端部（履き口）を別の輪ゴム４８で留めることにより、ずり落ちを防止するようにしてもよい。
【００１６】
次に、本実施形態の作用を説明する。利用者１２は、突然の雨に遭遇したときには、携帯している雨具１０を取り出し、上着２０を開口部３２から被って着用し、粘着テープ３４で開口部３２の適宜位置を止めて調節し雨具１０を固定する。そして、オーバーシュー４０の上端部から、靴１６を履いた状態で足を入れ、固定具４９によってオーバーシュー４０を固定するとともに、必要に応じて、他の輪ゴム４８によって上端部に衣服の裾を入れて固定する。これにより、利用者１２の全身を雨水などによる濡れや汚れから防ぐことができる。このような雨具１０の利用後は、適宜個所を引っ張って雨具１０を破り、そのまま廃棄する。
【００１７】
このように、本実施形態によれば、次のような効果が得られる。
（１）身頃２２に設けられた開口部３２を頭部から被って雨具１０の上着２０を着用することとしたので、着脱が容易である。
（２）雨具１０を防水性及び柔軟性を有する薄膜シートによって形成することとしたので、折り畳んだ時にも嵩張ることなく、携帯性に優れ、不意の雨などにも対処することができる。
（３）靴１６全体を覆うオーバーシュー４０を設けることとしたので、衣服の裾や靴１６が濡れるのを防止することができる。
（４）粘着テープ３４による調節・固定を行うこととしたので、上着２０のサイズを利用者の体形よりも大き目として着脱を容易とするとともに、着用状態を利用者の体形に合うように調整することができる。
（５）前記オーバーシュー４０を、伸縮性の固定具４９で固定することとしたので、靴１６の形状・サイズにかかわらず、確実に装着することができる。
（６）フード１６の正面部につば３０を設けることとしたので、フード１６が利用者１２の顔面に貼り付くことなく、快適な視界を得ることができる。
【００１８】
＜実施形態２＞……次に、図３及び図４を参照して、本発明の実施形態２について説明する。上述した実施形態では、上着をコート型として、一枚で利用者１２のほぼ全身を覆うこととしたが、本実施形態は、雨具を上着（ないしコート）とズボンに分けた構成としたものである。図３は、本実施形態の全体を示す図であり、図４は、本形態のズボンの着用時の様子を示す図である。
【００１９】
図３に示すように、本実施形態の雨具５０は、上着６０，利用者１２の下半身を覆うためのズボン７０，上述した実施形態１と同様のオーバーシュー４０によって構成されている。上着６０は、基本的には上述した実施形態１の上着２０と同様であるが、ズボン７０を別途設けるため、その身頃の丈は若干短めに設定されており、例えば、利用者１２の臀部を覆う程度の身丈に設定されている。なお、上着６０についても、上述した実施形態１と同様に、荷物１４を身に付けたままで着用することができるように、身頃の胴回りは余裕をもって大きめに設定されている。これら上着６０，ズボン７０，オーバーシュー４０の素材については、上述した実施形態１と同様である。
【００２０】
ズボン７０は、同図に示すように、利用者１２の衣服（図示の例ではズボン）７４の上に着用するものであり、そのサイズは、全体的に余裕をもって大きめに設定されている。特に、ウエスト部７２については、着脱の容易性を図るため、太めに設定されている。このようなズボン７０を着用する方法が、図４に示されている。同図（Ａ）に示す方法は、ズボン７０に足を通してウエスト部７２を引き上げたあと、ウエスト部７２の余った部分を折り畳んで、粘着テープ３４で留めた例である。同図（Ｂ）に示す例は、図の矢印に示すように、ウエスト部７２を、その下に着ている衣服７４のウエスト部分の内側に押し込んで固定した様子を示している。同図（Ｃ）に示す例では、ウエスト部７２を、上半身の衣服（図示の例ではシャツ）７６に直接粘着テープ３４で留めた状態が示されている。このように、いずれかの方法によって、ズボン７０が装着される。
【００２１】
本実施形態の効果は、基本的には上述した実施形態１と同様であるが、雨具５０を上着６０とズボン７０に分けた構成としたので、足さばきがよく、例えば、自転車やバイクなどの運転をする場合などに、特に好適である。
【００２２】
＜実施形態３＞……次に、図５を参照して、本発明の実施形態３について説明する。本実施形態の雨具８０は、上述した実施形態２と同様に、上着６０と下半身を覆うスカート９０に分けた構成となっている。スカート９０は、上端のウエスト部９２から足を通してはく構成となっており、ウエスト部９２をシール３４などで調整して利用者１２に合うように装着される。なお、ウエスト部９２の調整の方法としては、上述した実施形態２と同様である。このように、本実施形態によれば、雨具８０を、上着６０とスカート９０に分けた構成とすることにより、女性が衣服をズボンにはき換える必要がなく、着脱が容易である。
【００２３】
＜他の実施形態＞……本発明には数多くの実施形態があり、以上の開示に基づいて多様に改変することが可能である。例えば、次のようなものも含まれる。
（１）上述した雨具の素材は一例であり、必要に応じて、各種の公知の素材を利用することができる。例えば、安価な素材を利用して生産コストを低く抑えることにより、使い捨ての雨具として使用することが可能である。
（２）雨具の形状・サイズも一例であり、必要に応じて適宜変更してよい。また、色彩や模様についても同様に、必要に応じて適宜変更可能である。また、発光塗料や反射塗料を利用するようにしてもよい。これにより、視界の悪い場所や夜間においても利用者の存在が明らかとなり、特に、高齢者や子供の安全を確保することができる。
【００２４】
（３）粘着テープや輪ゴムも一例であり、同様の効果を奏する各種のものを利用することができる。もちろん、その色彩や模様などについても適宜変更してよい。
（４）粘着テープは、身頃正面やウエスト部の調節・固定のために利用するだけでなく、例えば、袖口の長さを調節したり、身頃やズボンあるいはスカートなどの丈を調節するために利用するようにしてもよい。もちろん、フードの大きさを調整するのに利用するようにしてもよい。
（５）前記形態では、フードを利用することとしたが、例えば、傘などを併用することにより、フードを省くようにすることも可能である。
【００２５】
【発明の効果】
以上説明したように、本発明によれば、フードの後頭部付近から額付近にかけて変形自在の芯材を設け、これによって前記フードにつばを形成することとしたので、利用者の額ないし顔面にフードが密着して貼り付くのが防止され、利用者の正面から風が吹付けた場合でも、フードが利用者の顔面を覆うことがなく、安全な視界を確保することができる。
また、防水性及び柔軟性を有する薄膜シートによって雨具のコートを構成し、該コートの身頃に設けられた開口部を頭部から被って着用することとしたので、簡単な構成でありながら着脱が容易であり、更には、折り畳んだ時にも嵩張ることがなく、携帯性に優れているという効果が得られる。加えて、靴全体を覆う靴用雨具を併用することにより、足元が濡れるのを防止し、利用者の全身を覆うことができる。
【図面の簡単な説明】
【図１】本発明の実施形態１の全体構成を示す図である。
【図２】前記形態の各部を詳細に示す図である。
【図３】本発明の実施形態２の全体構成を示す図である。
【図４】前記形態のズボン着用例を示す図である。
【図５】本発明の実施形態３の全体構成を示す図である。
【符号の説明】
１０…雨具
１２…利用者
１４…荷物
１６…靴
２０…上着
２２…身頃
２４…袖
２６…フード
２８…芯材
３０…つば
３２…開口部
３４…粘着テープ
３６…台紙
４０…オーバーシュー
４２…甲
４４…土踏まず
４６…踵
４７…締結部
４８…輪ゴム
４９…固定具
５０…雨具
６０…上着
７０…ズボン
７２…ウエスト部
７４，７６…衣服
８０…雨具
９０…スカート
９２…ウエスト部
【図１】
0004085357.tif 000002
【図２】
0004085357.tif 000003
【図３】
0004085357.tif 000004
【図４】
0004085357.tif 000005
【図５】
0004085357.tif 000006